(57)【要約】【課題】カード接続端子とコンタクト端子の接触不良を防止し、接触信頼性のあるカード用コネクタを提供する。【解決手段】カードを挿入するカード挿入口が前面に開口した箱状のハウジングと、ハウジングに設けられ挿入したカードの接続端子との電気的接続を行うための複数のコンタクト端子と、ハウジングに設けられ挿入したカードの先端面と接触し、挿入する押圧力を解除した場合にカードを排出する方向に僅かだけ押し戻すためのバネと、を有する。【選択図】図１
2011096479.tif 000002
【特許請求の範囲】
【請求項１】
カードを挿入するカード挿入口が前面に開口した箱状のハウジングと、
前記ハウジングに設けられ挿入した前記カードの接続端子との電気的接続を行うための複数のコンタクト端子と、
前記ハウジングに設けられ挿入した前記カードの先端面と接触し、挿入する押圧力を解除した場合に前記カードを排出する方向に僅かだけ押し戻すためのバネと、
を有することを特徴とするカード用コネクタ。
【請求項２】
前記バネは、前記ハウジングの最奥部の中央の凹んだ部分に設けられていることを特徴とする請求項１に記載のカード用コネクタ。
【請求項３】
前記バネは、片持ちの板バネであることを特徴とする請求項２に記載のカード用コネクタ。
【請求項４】
前記バネは、前記ハウジングの最奥部の側面に設けられている山形状の両持ちの板バネであることを特徴とする請求項１に記載のカード用コネクタ。
【請求項５】
前記カードは、挿入方向に対して側面に切欠き凹部を有し、
前記ハウジングは、挿入した前記カードの切欠き凹部と嵌合ってカードを固定する山形状の板バネを備えることを特徴とする請求項４に記載のカード用コネクタ。
【発明の詳細な説明】
【技術分野】
【０００１】
本発明は、メモリーカード等のカード型の記録媒体をパソコン、携帯電話機、デジタルカメラ等の電子機器に接続するためのカード用コネクタに関する。
【背景技術】
【０００２】
従来、メモリーカード等をスライドさせて挿入するカード用コネクタとしては、カードを受容してコネクタハウジング内を、カードの挿抜方向に摺動するスライドプレートを有し、側縁に切欠きを有するカードが、スライドプレートに保持された状態で、この切欠きとコネクタハウジングに取り付けられたロック部材即ち線状のばねの突起とが係合して、コネクタハウジング内に係止されるようになっているものが代表的である。
【０００３】
例えば特許文献１においては、片持ち支持の金属板バネを用いたロック部材が、該ロック部材の先端部を長さ方向に沿って曲げた山形状の係合部が、該カードコネクタ上面を覆う金属カバーの孔内に突出する突起を有し、該突起がカードの無理抜きにより金属カバーに引掛かった後、該金属カバーの下側に潜込み、該係合部がカードの切欠きから外れるようなカードコネクタが開示されている。
【先行技術文献】
【特許文献】
【０００４】
【特許文献１】特開２００７−２８７４３８号公報
【発明の概要】
【発明が解決しようとする課題】
【０００５】
従来のメモリーカード等をスライドさせて挿入する構造のカード用コネクタにおいては、カードをコネクタに挿入する場合、カードの先端面が、コネクタ内部に設けられている端面にぶつかり、それ以上カードが奥方向に挿入できない事を認識するのでカードを挿入するための力を解除する。
【０００６】
従来のカード用コネクタは、挿入する力を解除した後にカードは固定されてカードの移動は起きないで一連の挿入動作は終了する。これらのカード挿入動作の際には、カードの端子とコネクタに設けられたコンタクト端子の接触部付近には、カード表面に付着していた埃等の異物は、コンタクトがカード表面を摺動したことで、かき集められおり、カード接続端子とコネクタ端子との接触不良を起こす問題があった。
【０００７】
また特許文献１に記載されている方法は、カードのロックを確実にできるものであるが、カード端子とコンタクト端子の接触不良を防止する構造ではない。
【０００８】
そこで本発明は、上記問題点に鑑みてなされたもので、カード接続端子とコンタクト端子の接触不良を防止し、接触信頼性のあるカード用コネクタを提供することを目的とする。
【課題を解決するための手段】
【０００９】
上記課題を解決するため、本発明に係るカード用コネクタは、カードを挿入するカード挿入口が前面に開口した箱状のハウジングと、ハウジングに設けられ挿入したカードの接続端子との電気的接続を行うための複数のコンタクト端子と、ハウジングに設けられ挿入したカードの先端面と接触し、挿入する押圧力を解除した場合にカードを排出する方向に僅かだけ押し戻すためのバネと、を有することを特徴とする。
【発明の効果】
【００１０】
本発明により、カード端子とコンタクト端子の接触不良を防止するカード用コネクタを提供することが可能になる。
【図面の簡単な説明】
【００１１】
【図１】本発明の実施形態に係るカード用コネクタとカードを示す図である。
【図２】本発明の実施形態に係るカード用コネクタにカードを挿入した状態を示す図である。
【図３】カードの先端面Ａとカード用コネクタの端面Ｂが接触した時のコンタクト端子と接続端子の接触部を示す図である。
【図４】カードを挿入する力を解除した場合のカードとカード用コネクタの位置関係を示す図である。
【図５】カードが片持ち板バネにより押し戻された時のコンタクト端子と接続端子の接触部を示す図である。
【図６】本発明の第２の実施形態に係るカード用コネクタに両持ち板バネを側面方向に設置した状態を示す図である。
【図７】本発明の第２の実施形態に係るカード用コネクタにカードを挿入した図である。
【図８】本発明の第３の実施形態に係るカード用コネクタに両持ち板バネを側面方向に設置した状態を示す図である。
【図９】本発明の第３の実施形態に係るカード用コネクタにカードを挿入した図である。
【図１０】従来のカード用コネクタを示す図である。
【図１１】従来のカード用コネクタにカードを挿入した状態を示す図である。
【発明を実施するための形態】
【００１２】
本発明の好適な実施の形態について以下に図面を参照して詳細に説明する。
【００１３】
まず、従来のカード用コネクタについて、図１０を参照して説明する。図１０（ａ）は、従来のカード用コネクタ９とカード２を上面からみた図であり、図１０（ｂ）は、従来のカード用コネクタ９とカード２のＤ−Ｄ線断面図である。
【００１４】
カード用コネクタ９は、カード２を挿入するカード挿入口１５が前面に開口した箱状のハウジングである。カード用コネクタ９は、樹脂製のモールド４とモールド４に上方から被着される金属板である板金カバー３と挿入したカード２との電気的接続を行うためのコンタクト端子５とを備える。
【００１５】
板金カバー３は、図示しないプリント配線基板に対する半田付け用の脚部が複数設けられている。
【００１６】
コンタクト端子５は、カード２の各接続端子７と電気的に接続する。コンタクト端子５は、金属薄板を打抜き加工及び曲げ加工して、側から見た形状が略「逆へ」の字形に形成された細幅の板バネからなる。コンタクト端子５は、後部がモールド４の底部に固定され、前部がモールド４の底部の上に上下に弾性変位可能に突出されている。
【００１７】
このような片持ち支持の板バネを用いたコンタクト端子５は、後端部に図示しないプリント配線基板に対する半田付け用の脚部１３が設けられ、前端部にカード２の接続端子７に弾接触される半月状の接触部が設けられている。
【００１８】
カード２は、一般的なメモリーカードであり、カード２裏面側には内部のデータを読書きするための接続端子（接触面）７が並設されている。本実施形態においては、一例として端子が下側にくるものとするため破線で記載する。カード２は、例えばＳＤカード（登録商標）やメモリースティック（登録商標）などの公知のものである。
【００１９】
図１１は、カード用コネクタ９にカード２を挿入した状態を示す図である。
【００２０】
カード用コネクタ９にカード２を挿入した場合、カード先端面Ａとコネクタ端面Ｃが接触し、それ以上カードを挿入できない図１１に示す状態になる。次にカード用コネクタ９の最奥部までカード２を挿入して挿そうとする力を解除した場合は、カード２は挿入した位置から動くことはない。つまり、カード２挿入動作終了後は、図１１の状態が変わることはない。
【００２１】
つまり、図１０に示した従来のコネクタ９は、図３に示すように接触部のすぐ脇に異物８が堆積し、異物８と接触したままの状態となる。従って、コンタクト端子５は簡単に異物８に乗り上げる可能性があり、それによってカード２の接続端子７とコンタクト端子５の接触が不良になる危険性があるため、カード２のコンタクト端子５の接触部付近には異物８等が無いように綺麗にしておく必要があった。
【００２２】
ここで、本発明の概要について説明する。本発明は、メモリーカード等をスライドさせて挿入する構造のカード用コネクタにおいて、カードの端面が突き当たる部分のコネクタ端面にカードを僅かに押し戻すバネを設けたことを特徴とする。これのバネにより、一度コネクタ端面に突き当たったカードがバネの復元力によりカード排出方向に僅かに押し戻ることで、カードの接続端子とコンタクト端子の接触部付近に溜まる異物の位置が接触部から離れることで接点の接触信頼性を向上することが可能となる。
【００２３】
図１は、本発明の一実施形態に係る、カード用コネクタ１とカード２を示す図である。図１（ａ）は、カード用コネクタ１とカード２を上面からみた図であり、図１（ｂ）は、カード用コネクタ１とカード２のＥ−Ｅ線断面図である。
【００２４】
カード用コネクタ１は、カード２を挿入するカード挿入口１５が前面に開口した箱状のハウジングである。
【００２５】
本カード用コネクタ１は、カード２を挿入した場合にカード２の脱落を防止するための板金カバー３、樹脂製のモールド４、挿入したカード２との電気的接続を行うためのコンタクト端子５、挿入したカード２の先端面Ａと接触する片持ち板バネ６と、を備えて構成される。
【００２６】
板金カバー３は、図示しないプリント配線基板に対する半田付け用の脚部が複数設けられている。
【００２７】
コンタクト端子５は、カード２の各接続端子７と電気的に接続する。コンタクト端子５は、金属薄板を打抜き加工及び曲げ加工して、側から見た形状が略「逆へ」の字形に形成された細幅の板バネからなる。コンタクト端子５は、後部がモールド４の底部に固定され、前部がモールド４の底部の上に上下に弾性変位可能に突出されている。
【００２８】
本実施形態における片持ち支持の板バネを用いたコンタクト端子５は、後端部に図示しないプリント配線基板に対する半田付け用の脚部１３が設けられ、前端部にカード２の接続端子７に弾接触される半月状の接触部が設けられている。
【００２９】
片持ち板バネ６は、コネクタ端面Ｂより凹んだ部分に設けられている。図１に示したように片持ち板バネ６の先端はコネクタ端面Ｂよりも右に飛び出ている。
【００３０】
カード２は、一般的なメモリーカードであり、カード２裏面側には内部のデータを読書きするための接続端子（接触面）７が並設されている。本実施形態においては、一例として端子が下側にくるものとするため破線で記載する。カード２は、例えばＳＤカード（登録商標）やメモリースティック（登録商標）などの公知のものである。
【００３１】
図２は、カード用コネクタ１にカード２を挿入した状態を示す図である。図２（ａ）は、カード用コネクタ１とカード２を上面からみた図であり、図２（ｂ）は、カード用コネクタ１とカード２のＦ−Ｆ線断面図である。
【００３２】
カード用コネクタ１にカード２を挿入した場合、カード先端面Ａとコネクタ端面Ｂが接触し、それ以上カードを挿入できない図２に示す状態になる。この時、片持ち板バネ６はカード先端面Ａに押圧され変位した状態になる。
【００３３】
また、カード２は接続端子７と接触しているコンタクト端子５に押し上げられて、カード２の上に位置する板金カバー３とに挟み込まれて簡単には脱落しない（抜け出ない）ようになっている。
【００３４】
ただし、この構造だけではカードを固定することは出来ないため強い衝撃などによりカード２は脱落する可能性がある。そこで、図示しないコネクタ以外のパーツにて、例えば、壁を立てて脱落しないように固定する。
【００３５】
図３は、カード２の先端面Ａとカード用コネクタ１の端面Ｂが接触した時のコンタクト端子５と接続端子７の接触部を示す図である。カード２を挿入する際に接続端子７の表面に付着している異物８は、コンタクト端子５との接触点で擦られてかき集められることになる。
【００３６】
図４は、カード２を挿入する力を解除した場合のカード２とカード用コネクタ１の位置関係を示す図である。図４（ａ）は、カード用コネクタ１とカード２を上面からみた図であり、図４（ｂ）は、カード用コネクタ１とカード２のＧ−Ｇ線断面図である。
【００３７】
次に、カード２を挿入して挿そうとする力を解除した場合は、カード２は片持ち板バネ６の復元する力により図２に示した位置からカード挿入口１５側に少し押し戻されることになる。そしてこの位置でコンタクト端子５と板金カバー３とによりカード２は固定される。
【００３８】
なお、片持ち板バネ６がカード２を押し戻す力を、コンタクト端子５がカード２を押し上げて固定しようとする力よりも強くなるように設定すると良い。
【００３９】
上記のカード２を挿入した状態から、カード２を完全に抜き出す時には、カード２の後端を持って引き抜くことで行う。
【００４０】
図５は、カード２が片持ち板バネ６により押し戻された時のコンタクト端子５と接続端子７の接触部を示す図である。
【００４１】
図３で示した異物８は、コンタクト端子５と接触していたが、カード２が少し押し戻されたことにより、コンタクト端子５と接触しない位置に移動する。この動作によってコンタクト端子５と接続端子７の接触部と異物８とは位置が離れるために接触不良を防止することが出来る。
【００４２】
なお、上記の実施形態において、例として、カード中央部に配置したバネの形状を片持ち板バネとして説明したが、これに限定されることではなく、例えばコイルバネやカードを押し戻す反発力を持った弾性体としても同様の効果が得られることは言うまでもない。
【００４３】
次に、第２の実施形態について図を参照して詳細に説明する。
【００４４】
図６は、カード２を押し戻すために、両持ち板バネ１０を側面方向に設置した状態を示す図である。また図７は、カード用コネクタ１にカード２を最奥部まで挿入した後、挿そうとする力を解除した場合のカード２とカード用コネクタ１の位置関係を示す図である。
【００４５】
本実施形態においては、カード２を押し戻すために上から見た形状が略「へ」の字形に形成された両持ち板バネ１０を側面に設けた。カード先端面Ａがカード用コネクタ１の最奥部まで挿入された場合、カード２の先端部にてバネ１０は押圧されて変位した状態になる。
【００４６】
その後、カード２を挿入する力を解除した場合は、両持ち板バネ１０が元に戻ろうとする力でカード２を引き抜く方向（カード挿入口１５側）に少しだけ押し戻すことで、コンタクト端子５と接続端子７の接触部に存在する異物８はコンタクト端子５と接触しない位置に移動する。
【００４７】
この動作によってコンタクト端子５と接続端子７の接触部と異物８とは位置が離れるために接触不良を防止することが出来る。
【００４８】
次に、第３の実施形態について図を参照して詳細に説明する。
【００４９】
図８は、カード２に切欠き凹部１１を設け、カード用コネクタ１にカード２固定用の両持ち板バネ１２を設けた図である。また図９は、カード用コネクタ１にカード２を最奥部まで挿入した後、挿そうとする力を解除した場合のカード２とカード用コネクタ１の位置関係を示す図である。
【００５０】
図６及び図７と相違するのは、さらにカード２に切欠き凹部１１を設けて、カード用コネクタ１には、切欠き凹部１１がくる位置に両持ち板バネ１２を設置することで、カード２が抜ける（脱落する）ことを防止する効果が得られる。
【００５１】
すなわち、両持ち板バネ１０によりカード２が、図７に示した少し押し戻された位置に切欠き凹部１１と嵌合う両持ち板バネ１２を設けることで、カード２がカード挿入口１５側に抜け出ることを防止できる。
【００５２】
また、カード２を挿入する力を解除した場合は、両持ち板バネ１０が元に戻ろうとする力でカード２を引き抜く方向（カード挿入口１５側）に少しだけ押し戻すことで、コンタクト端子５と接続端子７の接触部に存在する異物８はコンタクト端子５と接触しない位置に移動する。
【００５３】
この動作によってコンタクト端子５と接続端子７の接触部と異物８とは位置が離れるために接触不良を防止することが出来る。
【００５４】
以上、本発明の好適な実施の形態について説明したが、本発明は上記の実施形態に限定するものではなく、この発明の技術的範囲内において種々の改変が可能であり、この発明がそれらの改変されたものに及ぶことは当然である。
【００５５】
本発明に係るカード用コネクタのバネは、ハウジングの最奥部の中央の凹んだ部分に設けられていることを特徴とする。
【００５６】
また本発明に係るカード用コネクタのバネは、片持ちの板バネであることを特徴とする。
【００５７】
また本発明に係るカード用コネクタのバネは、ハウジングの最奥部の側面に設けられている両持ちの板バネであることを特徴とする。
【００５８】
また本発明に係るカード用コネクタのカードは、挿入方向に対して側面に切欠き凹部を有し、ハウジングは、挿入したカードの切欠き凹部と嵌合ってカードを固定する板バネを備えることを特徴とする。
【産業上の利用可能性】
【００５９】
本発明によれば、カード用コネクタなどの用途に適用できる。
【符号の説明】
【００６０】
１    カード用コネクタ
２    カード
３    板金カバー
４    モールド
５    コンタクト端子
６    片持ち板バネ
７    接続端子
８    異物
９    従来のカード用コネクタ
１０    両持ち板バネ
１１    切欠き凹部
１２    両持ち板バネ
１３    脚部
１５    カード挿入口
Ａ    カード先端面
Ｂ    コネクタ端面
Ｃ    従来のコネクタ端面
【図１】
2011096479.tif 000003
【図２】
2011096479.tif 000004
【図３】
2011096479.tif 000005
【図４】
2011096479.tif 000006
【図５】
2011096479.tif 000007
【図６】
2011096479.tif 000008
【図７】
2011096479.tif 000009
【図８】
2011096479.tif 000010
【図９】
2011096479.tif 000011
【図１０】
2011096479.tif 000012
【図１１】
2011096479.tif 000013